(57)【要約】【課題】サイズの異なる複数種の端子をガタつくことなく収容することができる収容カバーを提供する。【解決手段】収容カバー１Ａは、電線９の端末に接続した電線接続部８と台部４に接続する電気接触部７とを有した端子３を収容するものであり、箱状に形成されかつ端子３が挿入される開口部１５を有した本体部１０と、開口部１５を開閉自在な蓋体１１と、を有して構成されている。蓋体１１は、板状に形成されるとともに一端が蓋体１１の内表面に連なりかつ他端が端子３の外表面に接触して端子３を本体部１０の底壁１３に向かって付勢する付勢アーム２３を有している。【選択図】図２
2008071659.tif 000002
【特許請求の範囲】
【請求項１】
電線の端末に接続した電線接続部と相手側の端子に接続する電気接触部とを有した端子を収容する収容カバーであって、
箱状に形成されかつ前記端子が挿入される開口部を有した本体部と、前記開口部を開閉自在な蓋体と、を有して構成されるとともに、
前記蓋体に、板状に形成されるとともに一端が前記蓋体の内表面に連なりかつ他端が前記端子の外表面に接触して前記端子を前記本体部の内表面に向かって付勢する付勢アームが設けられたことを特徴とする収容カバー。
【請求項２】
前記電線接続部が、前記電線を互いの間に位置付けかつ先端部が互いに内向きに曲げられることにより前記電線をかしめる一対のかしめ片により構成されているとともに、
前記付勢アームが、前記他端に設けられるとともに互いに内向きに曲げられた前記一対のかしめ片の間に侵入してこれらかしめ片に接触するリブを有したことを特徴とする請求項１に記載の収容カバー。
【発明の詳細な説明】
【技術分野】
【０００１】
本発明は、例えば、自動車のエンジンのスタータモータなどに供給される電力が流れる相手側の端子に接続する端子を収容する収容カバーに関する。
【背景技術】
【０００２】
例えば、自動車のエンジンのスタータモータなどには、他の機器よりも大きな電流が供給される。このため、前述したスタータモータなど大電流が流れる電子機器に設けられた端子と該端子に接続する端子との接続箇所は、絶縁性の収容カバーなどで覆われることが多い。
【０００３】
前述した収容カバー１００（特許文献１を参照。）は、図６ないし図８に示すように、前述した大電流が流れる電子機器に設けられた端子１０１に取り付けられるとともに電線１０５の端末に接続した端子１０４を収容する箱状の本体部１０２と、この本体部１０２にセルフヒンジなどで連なった蓋体１０３とを有している。なお、この電線１０５は、バッテリやジェネレータなどの電源などと接続した電線である。この電線１０５は、その芯線１０５ａが端子１０４に設けられた一対のかしめ片１０７にかしめられることにより端子１０４と接続している。
【０００４】
上記本体部１０２には、電線１０５の端末に接続した端子１０４が挿入されるとともに端子１０１を露出させることが可能である開口部１０６が設けられている。蓋体１０３は、開口部１０６を開閉自在に本体部１０２に支持されている。
【０００５】
このような収容カバー１００は、本体部１０２に上記開口部１０６から挿入された上記端子１０４が収容され、端子１０１と端子１０４とが接続された後に蓋体１０３により開口部１０６が閉じられて、端子１０１と端子１０４とを他部品との接触や水・塵等から保護する。
【特許文献１】実開平６−５４２２２号公報
【発明の開示】
【発明が解決しようとする課題】
【０００６】
また、上述した従来の収容カバー１００は、本体部１０２に収容された端子１０４を、図８に示すように、本体部１０２の底壁１１１に設けられたリブ１１１ａと、底壁１１１の外縁から立設した周壁１１２に設けられたリブ１１２ａと、蓋体１０３の内表面に設けられたリブ１０３ａと、により上下左右からおさえて該端子１０４のガタつきを防止している。
【０００７】
しかしながら、上述した従来の収容カバー１００は、収容カバー１００と端子１０４との間にガタつきが生じないようにするために収容される端子１０４のサイズに合わせて上記リブ１１１ａ，１１２ａ，１０３ａの高さ・幅を設定しているので、この端子１０４よりも大きいサイズの他の端子を収容することが不可能であった。また、この端子１０４よりも小さいサイズの他の端子を収容することはガタつきが生じることから好ましくなかった。よって、端子のサイズに応じて上記リブ１１１ａ，１１２ａ，１０３ａの高さ・幅を変化させた複数種の収容カバー１００を設ける必要があり、収容カバー１００のコストが高騰する傾向にあった。
【０００８】
したがって、本発明は、サイズの異なる複数種の端子をガタつくことなく収容することができる収容カバーを提供することをその目的とする。
【課題を解決するための手段】
【０００９】
前記課題を解決し目的を達成するために、請求項１に記載された発明は、電線の端末に接続した電線接続部と相手側の端子に接続する電気接触部とを有した端子を収容する収容カバーであって、箱状に形成されかつ前記端子が挿入される開口部を有した本体部と、前記開口部を開閉自在な蓋体と、を有して構成されるとともに、前記蓋体に、板状に形成されるとともに一端が前記蓋体の内表面に連なりかつ他端が前記端子の外表面に接触して前記端子を前記本体部の内表面に向かって付勢する付勢アームが設けられたことを特徴とする収容カバーである。
【００１０】
請求項２に記載された発明は、請求項１に記載された発明において、前記電線接続部が、前記電線を互いの間に位置付けかつ先端部が互いに内向きに曲げられることにより前記電線をかしめる一対のかしめ片により構成されているとともに、前記付勢アームが、前記他端に設けられるとともに互いに内向きに曲げられた前記一対のかしめ片の間に侵入してこれらかしめ片に接触するリブを有したことを特徴とするものである。
【発明の効果】
【００１１】
請求項１に記載された発明によれば、付勢アームが端子を本体部の内表面に向かって押し付ける、即ち付勢する、ことにより、該端子がガタつくことを防止できる。また、この付勢アームは、サイズが異なる複数種の端子を付勢することができるので、収容カバーの種類を減らすことができ、このために収容カバーのコストを低減することができる。
【００１２】
請求項２に記載された発明によれば、付勢アームのリブが端子の互いに内向きに曲げられた一対のかしめ片の間に侵入することにより、該端子が一対のかしめ片が相対する幅方向にガタつくことを防止できる。このことにより、本体部の幅方向に沿った寸法を、端子の幅方向の寸法よりも大きく設定することができるので、幅方向の寸法が異なる複数種の端子を収容することができる。よって、収容カバーの種類を減らすことができ、このために収容カバーのコストを低減することができる。
【発明を実施するための最良の形態】
【００１３】
以下、本発明の第１の実施形態にかかる収容カバー１Ａを、図１ないし図３を参照して説明する。
【００１４】
本実施形態に係る収容カバー１Ａは、自動車のスタータモータなどの大電流が流れる電子機器に設けられる端子部２と、該端子部２に接続される端子３と、を収容して、これら端子部２及び端子３を他部品との接触や水・塵等から保護するものである。
【００１５】
上記端子部２は、導電性の金属で構成され、かつ、図１及び図２に示すように、前述したスタータモータなどの電子機器に設けられた相手側の端子としての台部４と、この台部４から立設したねじ軸５と、このねじ軸５に螺合するナット６と、を有している。
【００１６】
上記端子３は、厚手の板金で構成され、かつ、環状の電気接触部７（図２に示す）と、この電気接触部７に連なった電線接続部８（図２及び図３に示す）と、を有している。電気接触部７は、内側にねじ軸５を通して上記台部４上に重ねられる。電線接続部８は、バッテリやジェネレータなどの電源などと接続した電線９（図１及び図２に示す）の端末に取り付けられる。
【００１７】
また、上記電線接続部８は、電気接触部７に連続した底面８ａの端子３の幅方向に沿った両縁からそれぞれ立設した一対のかしめ片８ｂと、かしめ片８ｂよりも電気接触部７から離れた底面８ａの縁部から立設した第２のかしめ片８ｃと、を有している。一対のかしめ片８ｂは、皮むき処理が施された電線９の芯線９ａを互いの間に位置付けるとともにその先端部が互いに内向きに曲げられることにより該芯線９ａをかしめて、該芯線９ａと電気的に接続する。第２かしめ片８ｃは、その先端部が電線９を巻き付ける格好に曲げられることにより電線９の芯線９ａを被覆した被覆部９ｂをかしめる。
【００１８】
上述した端子部２には、ねじ軸５を通した電気接触部７が台部４上に重ねられて、ねじ軸５にナット６が螺合して、このナット６と台部４との間に電気接触部７を挟み込んで、端子３が取り付けられる。そして、端子部２は、端子３や電線９などを介して、大電流が供給される電子機器と前述した電源とを電気的に接続する。
【００１９】
収容カバー１Ａは、絶縁性の合成樹脂で構成され、図１ないし図３に示すように、本体部１０と、蓋体１１と、を一体に有している。
【００２０】
本体部１０は、端子３が載置される底壁１３と、この底壁１３の外縁から立設した周壁１４と、底壁１３と相対する側に設けられかつ端子３が本体部１０内に挿入される開口部１５と、を有して箱状に形成されている。
【００２１】
上記底壁１３の長手方向の一端部には、端子部２が本体部１０内に挿入される第２開口部１６が設けられている。また、この第２開口部１６に端子３の電気接触部７が位置付けられる。底壁１３の長手方向の他端部には、底壁１３の内表面から開口部１５に向かって立設したリブ１３ａが複数設けられている。この底壁１３の長手方向の他端部には、端子３の電線接続部８が位置付けられるとともに、底面８ａがリブ１３ａと接触する。また、この本体部１０は、台部４に被せられた格好で端子部２に固定される。この状態で、前述したねじ軸５などは開口部１５から外部に露出可能になっている。
【００２２】
上記周壁１４のうち、底壁１３の幅方向に沿って互いに相対する周壁１４の、底壁１３の長手方向の他端部側には、図３に示すように、その内表面から本体部１０の内側に向かって立設したリブ１４ａが設けられている。このリブ１４ａは、本体部１０に収容される端子３の幅方向に沿った両側の外側面と接触する。
【００２３】
蓋体１１は、開口部１５に位置付けられることにより開口部１５を塞ぐものである。この蓋体１１は、図１ないし図３に示すように、開口部１５を塞いだ状態で、底壁１３と相対する天井壁１７と、この天井壁１７の外縁から立設するとともに周壁１４に向かって延びた周壁１８とを有している。
【００２４】
また、底壁１３の幅方向即ち本体部１０の幅方向、に沿って互いに相対する周壁１８のうち図３中の左側に位置する周壁１８は、ヒンジ２０を介して周壁１４に連なっている。蓋体１１は、ヒンジ２０を中心として回動することで、前述した開口部１５を塞いだ状態と、開口部１５を開放する状態とに亘って変位自在となっている。即ち、蓋体１１は、開口部１５を開閉自在である。また、底壁１３の幅方向に沿って互いに相対する周壁１８及び周壁１４のうち図３中の右側に位置する周壁１８及び周壁１４には、互いに係合することにより蓋体１１を塞いだ状態に保つロック部２１が設けられている。このロック部２１は、周壁１４に設けられたロック突起と、周壁１８に設けられたロックアームと、によりなる。また、底壁１３の長手方向に沿って互いに相対する周壁１８及び周壁１４のうち底壁１３の他端部側に位置する周壁１８及び周壁１４には、電線９を通す第３開口部２２が設けられている。
【００２５】
さらに、天井壁１７は、底壁１３の長手方向の他端部側と相対する第１の天井壁１７ａと、底壁１３の長手方向の一端部側と相対する第２の天井壁１７ｂと、により構成されている。これら第１の天井壁１７ａと第２の天井壁１７ｂとは切り離されているとともに、互いに同一平面状に配されている。また、それぞれの天井壁１７ａ,１７ｂに連なる周壁１８も、第１の天井壁１７ａと第２の天井壁１７ｂの境界で切り離されている。即ち、蓋体１１は、第１の天井壁１７ａを有する第１の蓋体１１ａと、第２の天井壁１７ｂを有する第２の蓋体１１ｂとに二分割されている。また、上述したヒンジ２０及びロック部２１は、第１の蓋体１１ａと第２の蓋体１１ｂとにそれぞれ設けられている。このため、第１の蓋体１１ａと第２の蓋体１１ｂとは、いずれか一方のみを開閉することが可能になっている。
【００２６】
上記第１の蓋体１１ａには、付勢アーム２３と、端子３がその幅方向にガタつくことを規制する一対のガタ押さえリブ２４と、端子３がその厚み方向にガタつくことを規制する一対のガタ押さえリブ２５と、が設けられている。
【００２７】
上記付勢アーム２３は、板状に形成されるとともに一端が第１の天井壁１７ａの中央部の内表面に連なりかつ他端が一対のかしめ片８ｂの第１の天井壁１７ａと相対する外表面に接触可能な片持ち状に形成されている。またこの付勢アーム２３は、前記他端に向かうにしたがって底壁１３に近づくとともに第２の天井壁１７ｂ側に近づく向きに傾斜して配されている。このような付勢アーム２３は、その他端が本体部１０に収容された端子３の一対のかしめ片８ｂの第１の天井壁１７ａと相対する外表面に接触して端子３を底壁１３に向かって付勢する。即ち、付勢アーム２３は、端子３をその厚み方向に沿って底壁１３に向かって付勢する。このことにより、端子３が底壁１３と第１の天井壁１７ａとが相対する方向（端子３の厚み方向）にガタつくことが規制される。
【００２８】
上記構成の収容カバー１Ａは、第２開口部１６から本体部１０内に端子部２が挿入され、第１の蓋体１１ａが本体部１０の長手方向の他端部側に位置する開口部１５を開放した状態で該開口部１５から本体部１０内に電線９と接続した状態の端子３が挿入される。そして、第２の蓋体１１ｂが本体部１０の長手方向の一端部側に位置する開口部１５を開放した状態で該開口部１５から治具等が挿入されてナット６がねじ軸５に螺合される。こうして端子部２と端子３とが接続される。その後、第１の蓋体１１ａと第２の蓋体１１ｂとが閉じられて開口部１５が塞がれる。この状態で端子３は、ガタ押さえリブ２４，２５と接触するとともに、その底面８ａがリブ１３ａと接触し、端子３の幅方向に沿った両側の外側面がそれぞれリブ１４ａと接触し、一対のかしめ片８ｂの第１の天井壁１７ａと相対する外表面が付勢アーム２３の他端と接触することにより、底壁１３と第１の天井壁１７ａとが相対する方向及び本体部１０の幅方向との双方にガタつくことが防止される。
【００２９】
本実施形態によれば、付勢アーム２３が端子３を底壁１３に向かって押し付ける、即ち付勢する、ことにより、該端子３が底壁１３と第１の天井壁１７ａとが相対する方向にガタつくことを防止できる。また、この付勢アーム２３は、サイズが異なる複数種の端子３を付勢することができるので、収容カバー１Ａの種類を減らすことができ、このために収容カバー１Ａのコストを低減することができる。
【００３０】
続いて、本発明の第２の実施形態にかかる収容カバー１Ｂを、図４及び図５を参照して説明する。また、同図において、前述した第１の実施形態と同一構成部分には同一符号を付して説明を省略する。
【００３１】
本実施形態では、底壁１３と第１の天井壁１７ａとが相対する方向及び幅方向の寸法が前記第１の実施形態で説明した端子３よりも小さい端子３’が収容カバー１Ｂに収容される。また、本実施形態の収容カバー１Ｂは、付勢アーム２３が、リブ２３ａと、一対のリブ２３ｂと、を有している。このリブ２３ａは、付勢アーム２３の他端に設けられるとともに互いに内向きに曲げられた一対のかしめ片８ｂの間に侵入してこれらかしめ片８ｂの外表面に接触する。このことにより、端子３’が本体部１０の幅方向に沿ってガタつくことが規制される。また、一対のリブ２３ｂは、付勢アーム２３の他端でかつリブ２３ａの本体部１０の幅方向に沿った両側に設けられているとともに、一対のかしめ片８ｂそれぞれの第１の天井壁１７ａと相対する外表面に接触可能に設けられている。
【００３２】
このような構成の収容カバー１Ｂに収容された端子３’は、図５に示すように、互いに内向きに曲げられた一対のかしめ片８ｂの間にリブ２３ａが侵入してこれらかしめ片８ｂの外表面に接触している。また、一対のかしめ片８ｂそれぞれの第１の天井壁１７ａと相対する外表面に一対のリブ２３ｂが接触している。また、一対のガタ押さえリブ２４と一対のリブ１４ａとは端子３’に接触していない。
【００３３】
本実施形態では、付勢アーム２３のリブ２３ａが端子３’の互いに内向きに曲げられた前記一対のかしめ片８ｂの間に侵入することにより、該端子３’がその幅方向、即ち本体部１０の幅方向、にガタつくことを防止できる。このことにより、本体部の幅方向に互いに相対した周壁１４間の寸法を、端子３’の幅方向の寸法よりも大きく設定することができるので、幅方向の寸法が異なる複数種の端子３’を収容することができる。即ち、一対のガタ押さえリブ２４と一対のリブ１４ａとが端子３’に当接していなくても端子３’がガタつくことがない。よって、収容カバー１Ｂの種類を減らすことができ、このために収容カバー１Ｂのコストを低減することができる。
【００３４】
なお、前述した実施形態では、相手側の端子としての台部４は、スタータモータに接続している。しかしながら、本発明では、台部４は、モータ、ジェネレータ、バッテリなどに接続しても良い。要するに、本発明では、台部４は、大電流が流れる電子機器に接続するのが望ましく、種々の電子機器に接続しても良い。このように、収容カバー１Ａ，１Ｂは、如何なる部品を収容しても良い。
【００３５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３６】
【図１】本発明の第１の実施形態に係る収容カバーを示す斜視図である。
【図２】図１中のＡ−Ａ線に沿った断面図である。
【図３】図２中のＢ−Ｂ線に沿った断面図である。
【図４】本発明の第２の実施形態に係る収容カバーを示す断面図である。
【図５】図４中のＣ−Ｃ線に沿った断面図である。
【図６】従来の収容カバーを示す斜視図である。
【図７】図６中のＤ−Ｄ線に沿った断面図である。
【図８】図７中のＥ−Ｅ線に沿った断面図である。
【符号の説明】
【００３７】
１Ａ，１Ｂ  収容カバー
３，３’  端子
４  台部（相手側の端子）
７  電気接触部
８  電線接続部
９  電線
１０  本体部
１１  蓋体
１５  開口部
２３  付勢アーム
８ｂ  かしめ片
２３ａ  リブ
【図１】
2008071659.tif 000003
【図２】
2008071659.tif 000004
【図３】
2008071659.tif 000005
【図４】
2008071659.tif 000006
【図５】
2008071659.tif 000007
【図６】
2008071659.tif 000008
【図７】
2008071659.tif 000009
【図８】
2008071659.tif 000010